(57)【要約】【課題】表示画像に容易に文字列を合成可能な画像表示装置及び画像表示方法を提供する。【解決手段】カードスロット３１には、外部記憶媒体としてのメモリカードＭＣが接続可能であり、制御部２０は、カードインターフェイス部３２を介して、カードスロット３１に接続されたメモリカードＭＣとの間でデータの入出力を行うことができる。制御部２０は、メモリカードＭＣ内に所定のファイル名のテキストファイルが存在する場合に、このテキストファイルをメモリカードＭＣから読み出して、ファイルに含まれる文字列データを取得し、画像生成部２０ａで、この文字列データが表す文字列を含んだ画像の画像データを生成する。画像合成部２７は、制御部２０からの指示に基づいて、画像信号処理部２６から入力される画像データに、制御部２０から入力される画像データを合成し、投写画像に文字列を合成表示（重畳）するための処理を行う。【選択図】図１
2008224797.tif 000002
【特許請求の範囲】
【請求項１】
外部から第１の画像情報が入力される画像入力部と、
外部から文字列を表す文字列情報が入力される文字列入力部と、
前記文字列情報に基づいて、前記文字列を含んだ画像を表す第２の画像情報を生成する画像生成部と、
前記第１の画像情報及び前記第２の画像情報に基づいて、前記第１の画像情報が表す画像に前記文字列を合成させる画像合成部と、
前記文字列が合成された前記画像を表示する表示部と、
を備えたことを特徴とする画像表示装置。
【請求項２】
請求項１に記載の画像表示装置であって、
前記文字列入力部には、外部記憶媒体に記憶されている文字列情報が入力されることを特徴とする画像表示装置。
【請求項３】
請求項１又は２に記載の画像表示装置であって、
前記文字列入力部には、前記文字列情報とともに、前記文字列を合成する位置を表す位置情報が入力され、前記画像生成部は、前記位置情報が表す位置に前記文字列が合成されるように前記第２の画像情報を生成することを特徴とする画像表示装置。
【請求項４】
請求項１又は２に記載の画像表示装置であって、
前記文字列入力部には、前記文字列情報とともに、前記文字列を合成する位置を表す位置情報が入力され、前記画像合成部は、前記位置情報が表す位置に前記文字列を合成させることを特徴とする画像表示装置。
【請求項５】
請求項１〜４のいずれか１項に記載の画像表示装置であって、
前記文字列入力部には、前記文字列情報とともに、前記文字列の表示態様を表す属性情報が入力され、前記画像生成部は、前記属性情報が表す表示態様で前記文字列が表示されるように前記第２の画像情報を生成することを特徴とする画像表示装置。
【請求項６】
外部から第１の画像情報が入力される第１の画像入力部と、
外部から第２の画像情報が入力される第２の画像入力部と、
前記第２の画像情報が表す第２の画像の一部を色に応じて抽出し、前記第１の画像情報が表す第１の画像に合成させる画像合成部と、
前記第２の画像の一部が合成された前記第１の画像を表示する表示部と、
を備えたことを特徴とする画像表示装置。
【請求項７】
外部から第１の画像情報が入力される第１のステップと、
外部から文字列を表す文字列情報が入力される第２のステップと、
前記文字列情報に基づいて、前記文字列を含んだ画像を表す第２の画像情報を生成する第３のステップと、
前記第１の画像情報及び前記第２の画像情報に基づいて、前記第１の画像情報が表す画像に前記文字列を合成させる第４のステップと、
前記文字列が合成された前記画像を表示する第５のステップと、
を備えたことを特徴とする画像表示方法。
【発明の詳細な説明】
【技術分野】
【０００１】
本発明は、外部から入力される画像情報に応じた画像を表示する画像表示装置及び画像表示方法に関する。
【背景技術】
【０００２】
プロジェクタを用いてプレゼンテーションを行う際には、プロジェクタをＰＣに接続し、予めプレゼンテーションソフトウェア等で作成した原稿ファイルを、ＰＣで再生しつつ投写することにより、情報提供を効果的に行うことができる。従来、プレゼンテーションの途中やその後で、聴衆からの質問に回答する場合や、突発的な補足説明等を行う場合には、その説明は、口頭のみでなされることが多い。ところが、聴衆の中に聴覚障害者がいる場合や、全域に声が届きにくい会場である場合には、プロジェクタにより文字として表示することが望まれており、この場合には、その場で原稿ファイルを編集しなおす必要があった。一方、ビデオ機器等から入力されている映像を投写しながらプレゼンテーションを行っている場合には、その場で映像上に文字を合成することは現実的には困難であり、口頭のみで説明せざるを得なかった。
そこで、手書きした文字等を投写画像（表示画像）に合成して表示することが可能な投射型表示システムが提案されている（例えば、特許文献１参照）。
【０００３】
【特許文献１】特開２０００−１４８３７５号公報
【発明の開示】
【発明が解決しようとする課題】
【０００４】
しかしながら、特許文献１に記載の投射型表示システムでは、手書き入力を行うための入力案内手段（入力板）や撮像手段（カメラ）を備える必要があるため、装置の大型化や、高価格化を招いてしまう。また、聴衆が視認できるように丁寧に文字を書かなければならないため、説明者が手書き入力を煩雑に感じてしまうという問題も有している。
【０００５】
本発明は上記問題に鑑みてなされたものであり、その目的は、表示画像に容易に文字列を合成可能な画像表示装置及び画像表示方法を提供することにある。
【課題を解決するための手段】
【０００６】
本発明の画像表示装置は、外部から第１の画像情報が入力される画像入力部と、外部から文字列を表す文字列情報が入力される文字列入力部と、前記文字列情報に基づいて、前記文字列を含んだ画像を表す第２の画像情報を生成する画像生成部と、前記第１の画像情報及び前記第２の画像情報に基づいて、前記第１の画像情報が表す画像に前記文字列を合成させる画像合成部と、前記文字列が合成された前記画像を表示する表示部と、を備えたことを特徴とする。
【０００７】
この画像表示装置によれば、第１の画像情報が表す画像に、第２の入力部に入力された文字列情報が表す文字列を合成する構成であるため、合成する文字列を手書き入力する必要はなく、第２の入力部に対して文字列情報を入力すれば済むようになる。この結果、第１の画像情報が表す画像（表示画像）に対する文字列の合成を容易に行うことが可能となる。
【０００８】
この画像表示装置において、前記文字列入力部には、外部記憶媒体に記憶されている文字列情報が入力されることが望ましい。
【０００９】
この画像表示装置によれば、第２の入力部に、外部記憶媒体に記憶されている文字列情報が入力されるため、必要な文字列情報を予め外部記憶媒体に記憶させておくことにより、第２の入力部に対する文字列情報の入力操作を容易に行うことが可能となる。
【００１０】
この画像表示装置において、前記文字列入力部には、前記文字列情報とともに、前記文字列を合成する位置を表す位置情報が入力され、前記画像生成部は、前記位置情報が表す位置に前記文字列が合成されるように前記第２の画像情報を生成することが望ましい。
【００１１】
この画像表示装置によれば、画像生成部が、位置情報が表す位置に文字列が合成されるように第２の画像情報を生成するため、文字列を所望の位置に合成させることが可能となる。
【００１２】
この画像表示装置において、前記文字列入力部には、前記文字列情報とともに、前記文字列を合成する位置を表す位置情報が入力され、前記画像合成部は、前記位置情報が表す位置に前記文字列を合成させるようにしてもよい。
【００１３】
この画像表示装置によれば、画像合成部が、位置情報が表す位置に文字列を合成させるため、文字列を所望の位置に合成させることが可能となる。
【００１４】
この画像表示装置において、前記文字列入力部には、前記文字列情報とともに、前記文字列の表示態様を表す属性情報が入力され、前記画像生成部は、前記属性情報が表す表示態様で前記文字列が表示されるように前記第２の画像情報を生成することが望ましい。
【００１５】
この画像表示装置によれば、画像生成部が、属性情報が表す表示態様で文字列が表示されるように第２の画像情報を生成するため、文字列を所望の表示態様で表示させることが可能となる。
【００１６】
本発明の画像表示装置は、外部から第１の画像情報が入力される第１の画像入力部と、外部から第２の画像情報が入力される第２の画像入力部と、前記第２の画像情報が表す第２の画像の一部を色に応じて抽出し、前記第１の画像情報が表す第１の画像に合成させる画像合成部と、前記第２の画像の一部が合成された前記第１の画像を表示する表示部と、を備えたことを特徴とする。
【００１７】
この画像表示装置によれば、画像合成部が、第２の画像の一部を色に応じて抽出し、第１の画像に合成させるため、第２の画像入力部に、文字列が所定の色で描画された画像を表す画像情報を入力するだけで、第１の画像に文字列を合成することが可能となり、第１の画像（表示画像）に対する文字列の合成を容易に行うことが可能となる。また、この画像表示装置によれば、第２の画像入力部に、図形等が所定の色で描画された画像を表す画像情報を入力すれば、文字列以外の図形等を合成することも容易に行うことが可能となる。
【００１８】
本発明の画像表示方法は、外部から第１の画像情報が入力される第１のステップと、外部から文字列を表す文字列情報が入力される第２のステップと、前記文字列情報に基づいて、前記文字列を含んだ画像を表す第２の画像情報を生成する第３のステップと、前記第１の画像情報及び前記第２の画像情報に基づいて、前記第１の画像情報が表す画像に前記文字列を合成させる第４のステップと、前記文字列が合成された前記画像を表示する第５のステップと、を備えたことを特徴とする。
【００１９】
この画像表示方法によれば、第１の画像情報が表す画像に、文字列情報が表す文字列を合成するため、合成する文字列を手書き入力する必要はなく、外部から文字列情報を入力すれば済むようになる。この結果、第１の画像情報が表す画像（表示画像）に対する文字列の合成を容易に行うことが可能となる。
【００２０】
また、上述した画像表示装置及び画像表示方法が、画像表示装置に備えられたコンピュータを用いて構築されている場合には、本発明は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクタの内部記憶装置（ＲＡＭやＲＯＭ等のメモリ）、及び外部記憶装置等、前記コンピュータが読み取り可能な種々の媒体を利用することができる。
【発明を実施するための最良の形態】
【００２１】
（第１実施形態）
以下、本発明に係る画像表示装置の第１実施形態として、光源から射出された光を画像信号に応じて変調し、この変調光を外部のスクリーン等に拡大投写して画像を表示するプロジェクタについて説明する。
【００２２】
図１は、本実施形態のプロジェクタの概略構成を示すブロック図である。
図１に示すように、プロジェクタ１は、表示部としての画像投写部１０、制御部２０、記憶部２１、入力操作部２２、操作信号受信部２３、入力端子群２４、入力ソース選択部２５、画像信号処理部２６、画像合成部２７、カードスロット３１、カードインターフェイス（Ｉ／Ｆ）部３２、通信端子３３、通信インターフェイス（Ｉ／Ｆ）部３４、リモコンＲＣ等で構成されており、画像投写部１０には、光源部１１、光変調装置としての３つの液晶ライトバルブ１２Ｒ，１２Ｇ，１２Ｂ、投写光学系としての投写レンズ１３、ライトバルブ駆動部１４等が含まれている。
【００２３】
光源部１１は、高圧水銀ランプや、メタルハライドランプ等の放電ランプ１１ａと、放電ランプ１１ａが放射した光を液晶ライトバルブ１２Ｒ，１２Ｇ，１２Ｂ側に反射するリフレクタ１１ｂとを含んで構成されている。光源部１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２４】
液晶ライトバルブ１２Ｒ，１２Ｇ，１２Ｂは、一対の透明基板間に液晶が封入された液晶パネル等によって構成され、各透明基板の内面には、液晶に対して微小領域（画素）毎に駆動電圧を印加可能な透明電極（画素電極）がマトリクス状に形成されている。
ライトバルブ駆動部１４が、入力される画像データに応じた駆動電圧を各画素に印加すると、各画素は、画像データに応じた光透過率に設定される。つまり、光源部１１から射出された光は、この液晶ライトバルブ１２Ｒ，１２Ｇ，１２Ｂを透過することによって変調され、画像データに応じた画像光が色光毎に形成される。形成された各色の画像光は、図示しない色合成光学系によって画素毎に合成されてカラー画像を表す画像光となった後、投写レンズ１３によってスクリーンＳＣ等に拡大投写される。
【００２５】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。
【００２６】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや各種データ等が記憶されている。記憶部２１が記憶する制御プログラムは、ＯＳ（Operating System）や、ＯＳ上で動作するアプリケーションプログラム等によって構成される。また、記憶部２１が記憶するデータには、設定値等を表すデータに加えて、文字の形状を表すフォントデータ（ビットマップデータ）等が含まれている。フォントデータは、文字コードに対応付けられて記憶されており、制御部２０は、文字コードを指定することによって所望の文字のフォントデータを参照することができる。
【００２７】
入力操作部２２及びリモコンＲＣは、プロジェクタ１に対して各種指示を行うための複数の操作ボタンを備えている。入力操作部２２及びリモコンＲＣが備える操作ボタンとしては、電源のオン・オフを行うための「電源ボタン」、メニュー画面におけるカーソルの移動等に用いられる上下左右４つの「カーソルボタン」、入力ソース（画像信号の供給元）を切り換えるための「入力ソース指定ボタン」、投写画像上に文字列を合成表示させるための「合成表示ボタン」等がある。ユーザが入力操作部２２の各種操作ボタンを操作すると、入力操作部２２は、ユーザの操作内容に応じた操作信号を制御部２０に出力する。また、ユーザがリモコンＲＣの各種操作ボタンを操作すると、リモコンＲＣは、ユーザの操作内容に応じた赤外線の操作信号を発し、操作信号受信部２３がこれを受信して制御部２０に伝達する。
【００２８】
入力端子群２４は、ビデオ再生装置やパーソナルコンピュータ等の外部の画像供給装置ＳＲから、各種形式の画像信号を入力可能な複数の入力端子２４ａを備えている。各入力端子２４ａに入力された画像信号は、入力ソース選択部２５に供給される。
【００２９】
入力ソース選択部２５は、複数の入力端子２４ａのうち、制御部２０の指示に基づく１つの入力端子２４ａを選択し、この入力端子２４ａに入力される画像信号を画像信号処理部２６に出力する。ユーザが、入力操作部２２やリモコンＲＣに備わる入力ソース指定キーを操作して所望の入力端子２４ａを指定すると、制御部２０は、この入力端子２４ａに入力されている画像信号が画像信号処理部２６に出力されるよう、入力ソース選択部２５に指示をする。
【００３０】
画像信号処理部２６は、入力ソース選択部２５から入力された各種形式の画像信号を、液晶ライトバルブ１２Ｒ，１２Ｇ，１２Ｂの各画素の階調を表す画像データ、即ち各画素に印加する駆動電圧を規定するための画像データに変換する。さらに、制御部２０の指示に基づいて、変換した画像データに対して、明るさ、コントラスト、シャープネス、色合い等の調整や、ガンマ補正等の各種画質調整を施す。画像信号処理部２６で画質調整がなされた画像データは、画像合成部２７に出力される。
【００３１】
カードスロット３１には、外部記憶媒体としてのメモリカードＭＣが接続可能であり、制御部２０は、カードインターフェイス部３２を介して、カードスロット３１に接続されたメモリカードＭＣとの間でデータの入出力を行うことができる。また、制御部２０は、メモリカードＭＣ内に所定のファイル名のテキストファイルが存在する場合に、このテキストファイルをメモリカードＭＣから読み出して、ファイルに含まれる文字列データ（文字コード列）を取得することができる。
【００３２】
通信端子３３は、例えば、ＵＳＢ（Universal Serial Bus）やＲＳ−２３２Ｃ等の規格に基づく接続端子であり、制御部２０は、通信インターフェイス部３４を介して、通信端子３３に接続された外部の制御機器ＣＴ（例えば、パーソナルコンピュータ）とデータ通信を行うことができる。また、制御部２０は、制御機器ＣＴから文字列の表示を指示するコマンドが入力されると、このコマンドに付加されている文字列データ等を取得することができる。
【００３３】
制御部２０には、画像生成部２０ａが含まれている。画像生成部２０ａは、メモリカードＭＣや制御機器ＣＴから得られた文字列データに基づいて、この文字列データが表す文字列を含んだ画像（文字列画像）の画像データを生成する。具体的には、文字列データを構成する文字コードの各々について、対応するフォントデータを記憶部２１から読み出し、各文字が横一列に並んだ横書きの文字列画像を形成するための画像データを生成する。制御部２０は、画像生成部２０ａで生成した画像データを画像合成部２７に出力する。
【００３４】
画像合成部２７は、制御部２０からの指示に基づいて、画像信号処理部２６から入力される画像データに、制御部２０から入力される画像データを合成し、投写画像に文字列を合成表示（重畳）するための処理を行う。画像合成部２７は、合成処理後の画像データをライトバルブ駆動部１４に出力する。なお、制御部２０からの指示がない場合には、上記合成処理を行わず、画像信号処理部２６から入力される画像データを、そのままライトバルブ駆動部１４に供給する。
【００３５】
ライトバルブ駆動部１４は、画像合成部２７から入力される画像データに基づいて、３つの液晶ライトバルブ１２Ｒ，１２Ｇ，１２Ｂを駆動する。この結果、画像投写部１０から画像データに応じた画像（画像光）が投写される。
【００３６】
次に、本実施形態のプロジェクタ１の動作について説明する。
プロジェクタ１に商用電源が供給され、入力操作部２２やリモコンＲＣの電源ボタンが操作されると、制御部２０は、制御プログラムに従った動作を開始する。この状態で、ユーザは、入力ソース指定ボタンを操作することにより、所望の入力端子２４ａに入力される画像信号に応じた画像（入力画像）の投写を開始することができる。入力画像の投写を行っている間、制御部２０は、入力操作部２２やリモコンＲＣによる入力操作や、通信端子３３へのコマンド入力を監視する。
【００３７】
図２は、入力画像を投写中に、入力操作部２２やリモコンＲＣに備わる合成表示ボタンが操作された場合の動作を説明するフローチャートであり、図３（ａ）〜（ｃ）は、この動作を説明するための説明図である。制御部２０は、入力画像Ｇｉ（例えば、図３（ａ）参照）を投写している間に、合成表示ボタンが操作されると、図２に示すフローに従って、入力画像Ｇｉに文字列を合成するための動作を行う。なお、既に文字列が合成された状態で、合成表示ボタンが操作された場合にも、制御部２０は、このフローに従って動作する。
【００３８】
図２に示すように、ステップＳ１０１では、制御部２０は、既に文字列が合成された状態であるか否かを判断する。この結果、入力画像Ｇｉのみを投写している状態であって、文字列が合成されていない状態であれば、ステップＳ１０２に移行する。一方、既に文字列が合成されている状態である場合には、ステップＳ１０７に移行する。
【００３９】
ステップＳ１０２に移行した場合には、制御部２０は、カードスロット３１にメモリカードＭＣが接続されているか否かを判断する。メモリカードＭＣが接続されている場合には、ステップＳ１０３に移行し、メモリカードＭＣが接続されていない場合には、処理を終了する。
【００４０】
ステップＳ１０３では、制御部２０は、メモリカードＭＣ内に、所定のファイル名のテキストファイルが記憶されているか否かを判断する。メモリカードＭＣ内にこのテキストファイルが記憶されている場合には、ステップＳ１０４に移行し、記憶されていない場合には、処理を終了する。
【００４１】
ステップＳ１０４では、制御部２０は、このテキストファイルを読み出して、ファイル内に含まれる文字列データを取得する。本実施形態では、テキストファイル内に、「質問のある方はいますか？」という文字列を表す文字列データが格納されている。
【００４２】
ステップＳ１０５では、画像生成部２０ａが、文字列データを構成する文字コードの各々に対応するフォントデータを記憶部２１から読み出して、図３（ｂ）に示すように、文字列（「質問のある方はいますか？」）を含んだ帯状の文字列画像Ｇｓを表す画像データを生成する。
【００４３】
ステップＳ１０６では、制御部２０が、画像生成部２０ａで生成した画像データを画像合成部２７に出力するとともに、画像合成部２７に画像の合成を指示して処理を終了する。画像合成部２７は、この指示を受け、入力画像Ｇｉの所定の位置に文字列画像Ｇｓが表示されるように画像データを合成する。この結果、図３（ｃ）に示すように、入力画像Ｇｉ上に文字列画像Ｇｓが合成された合成画像Ｇｃが、画像投写部１０から投写される。
【００４４】
ステップＳ１０１において、既に文字列が合成された状態であるためにステップＳ１０７に移行した場合には、制御部２０は、画像合成部２７に対して、文字列の合成を終了する旨の指示をして、処理を終了する。画像合成部２７は、この指示を受けて文字列データの合成を終了し、画像信号処理部２６からの画像データをそのままライトバルブ駆動部１４に出力する状態に移行する。この結果、画像投写部１０から入力画像Ｇｉのみが投写される状態となる。つまり、ユーザは、合成表示ボタンの操作を繰り返すことによって、入力画像Ｇｉに文字列が合成された状態と、文字列が合成されず入力画像Ｇｉのみが表示される状態とを切り換えることができる。また、制御部２０は、文字列が合成された状態か否かを記憶するためのフラグを備えており、ステップＳ１０６及びステップＳ１０７において、その内容を書き換えるようになっている。このため、ステップＳ１０１では、このフラグを参照することにより、既に文字列が合成された状態であるか否かを判断することができる。
【００４５】
なお、文字列画像Ｇｓの文字色や背景色、及び文字列画像Ｇｓを合成する位置は、予め唯一に定まっていてもよいし、ユーザの好み等に応じて任意に指定できるようにしてもよい。
また、テキストファイル内に、複数の文字列データが含まれる場合には、これらの中から表示すべき文字列データを選択できるようにすることも可能である。例えば、図４に示すように、テキストファイルＴＦ内に、改行コードＣＲで区切られた複数の文字列データＳＴが存在する場合には、まず、先頭の文字列データＳＴ（「質問のある方はいますか？」）を取得してその文字列画像Ｇｓの生成、合成を行った後、上下カーソルボタンが操作される毎に、その次、或いはその前の文字列データＳＴに応じた文字列画像Ｇｓの生成、合成を行うようにすればよい。
【００４６】
次に、通信端子３３にコマンドが入力された場合の動作について説明する。
図５は、入力画像Ｇｉを投写中に、制御機器ＣＴから通信端子３３にコマンドが入力された場合の動作を説明するフローチャートであり、図６（ａ）、（ｂ）及び図７（ａ）〜（ｃ）は、この動作を説明するための説明図である。
【００４７】
制御機器ＣＴから入力されるコマンドとしては、文字列の合成表示を指示する「表示コマンド」、及び文字列の合成表示の終了を指示する「消去コマンド」があり、それぞれ図６（ａ）、（ｂ）に示すような態様で入力される。
図６（ａ）に示すように、表示コマンドは、コマンドの種別を表すコマンド名（DISPSTR）に、文字列を合成する位置を表す位置情報（行番号：10、列番号：2）、そして合成すべき文字列を表す文字列データ（"\C1\B詳細は後日説明します。"）が付加された態様となっている。ここで、位置情報は、文字列を合成する位置を定めるために、文字列の先頭文字の位置を行番号と列番号とで表すものであり（図７（ｂ）参照）、本実施形態では、１０行、１５列の中から所望の位置に定めることができる。また、文字列データ中に含まれている「\C1」及び「\B」は、文字の表示態様を指定するための属性情報であり、「\C1」は、文字色を示し、「\B」は、文字を太字で表示することを示している。一方、図６（ｂ）に示すように、消去コマンドは、コマンド名（CLEARSTR）のみで構成されている。
【００４８】
制御部２０は、入力画像Ｇｉ（例えば、図７（ａ）参照）を投写している間に、通信端子３３にこれらのコマンドが入力されると、図５に示すフローに従って、入力画像Ｇｉに文字列を合成するための動作を行う。なお、既に文字列が合成された状態で、通信端子３３にコマンドが入力された場合にも、制御部２０は、このフローに従って動作する。
【００４９】
図５に示すように、ステップＳ１１１では、制御部２０は、入力されたコマンドが消去コマンドであるか否かを判断する。この結果、消去コマンドでない場合には、ステップＳ１１２に移行する。一方、消去コマンドである場合には、ステップＳ１１６に移行する。
【００５０】
ステップＳ１１２に移行した場合には、制御部２０は、入力されたコマンドが表示コマンドであるか否かを判断する。この結果、表示コマンドである場合には、ステップＳ１１３に移行し、表示コマンドでない場合には、処理を終了する。
【００５１】
ステップＳ１１３では、制御部２０は、表示コマンドに付加されている位置情報及び文字列データを取得する。
【００５２】
ステップＳ１１４では、画像生成部２０ａが、文字列データを構成する文字コードの各々に対応するフォントデータを記憶部２１から読み出し、入力画像Ｇｉと同形状の無地画像に対して、文字列データが表す文字列を、属性情報が表す表示態様で、位置情報が示す位置から描画したような画像データを生成する。この結果、図７（ｂ）に示すように、所定の位置（例えば、第１０行第２列）に文字列（例えば、「詳細は後日説明します。」）が描画された文字列画像Ｇｓを表す画像データが生成される。
【００５３】
ステップＳ１１５では、制御部２０は、画像生成部２０ａで生成した画像データを画像合成部２７に出力するとともに、画像合成部２７に画像の合成を指示して処理を終了する。画像合成部２７は、この指示を受け、入力画像Ｇｉの画像データと文字列画像Ｇｓの画像データとを、文字列画像Ｇｓの背景（無地領域）が透過するように合成する。この結果、図７（ｃ）に示すように、入力画像Ｇｉ上に文字列が合成された合成画像Ｇｃが、画像投写部１０から投写される。
【００５４】
ステップＳ１１１において、入力されたコマンドが消去コマンドであったためにステップＳ１１６に移行した場合には、制御部２０は、画像合成部２７に対して、文字列の合成を終了する旨の指示をして、処理を終了する。画像合成部２７は、この指示を受けて文字列データの合成を終了し、画像信号処理部２６からの画像データをそのままライトバルブ駆動部１４に出力する状態に移行する。この結果、画像投写部１０から入力画像Ｇｉのみが投写される状態となる。
【００５５】
以上説明したように、本実施形態のプロジェクタ１によれば、以下の効果を得ることができる。
（１）本実施形態のプロジェクタ１によれば、カードスロット３１や通信端子３３を介して入力された文字列データに基づいて、入力画像Ｇｉに文字列を合成する構成であるため、合成する文字列を手書き入力する必要はなく、メモリカードＭＣに文字列データを記憶させたり、制御機器ＣＴにコマンドを出力させれば済むようになる。この結果、投写画像に対する文字列の合成を容易に行うことが可能となる。
【００５６】
（２）本実施形態のプロジェクタ１によれば、メモリカードＭＣに記憶された文字列データに基づいて、入力画像Ｇｉに文字列を合成することができるため、必要な文字列データを予めメモリカードＭＣに記憶させておけば、文字列を合成させる際には、メモリカードＭＣをカードスロット３１に装着すれば済むようになり、文字列データの入力操作を容易に行うことが可能となる。なお、文字列データの入力操作、及び入力された文字列データのメモリカードＭＣへの書き込みが可能な情報機器（例えば、パーソナルコンピュータ等）をプロジェクタ１の近傍に備えるようにすれば、プレゼンテーションにおける質問に対する回答等、予め想定することが困難な文字列の表示をも行うことが可能となる。
【００５７】
（３）本実施形態のプロジェクタ１によれば、制御機器ＣＴからのコマンドに含まれる文字列データに基づいて、入力画像Ｇｉに文字列を合成することができるため、制御機器ＣＴに対する文字列データの入力操作を行うことにより、予め想定することが困難な文字列の表示を容易に行うことが可能となる。
【００５８】
（４）本実施形態のプロジェクタ１によれば、画像生成部２０ａが、位置情報が表す位置に文字列が合成されるように画像データを生成するため、文字列を所望の位置に合成させることが可能となる。
【００５９】
（５）本実施形態のプロジェクタ１によれば、画像生成部２０ａが、属性情報が表す表示態様で文字列が表示されるように画像データを生成するため、文字列を所望の表示態様で表示させることが可能となる。
【００６０】
なお、本実施形態では、入力端子群２４が、本発明の画像入力部に相当し、カードスロット３１及び通信端子３３が、本発明の文字列入力部に相当する。また、入力端子群２４に入力される画像信号は、本発明の第１の画像情報に相当し、画像生成部２０ａが生成する画像データは、本発明の第２の画像情報に相当する。また、メモリカードＭＣに記憶された文字列データ、及び制御機器ＣＴからのコマンドに含まれる文字列データが、本発明の文字列情報に相当する。
【００６１】
（第２実施形態）
以下、本発明の第２実施形態について、図面を参照して説明する。本実施形態のプロジェクタは、１つの入力端子に入力される画像信号に基づく画像と、他の入力端子に入力される画像信号に基づく画像とを合成して投写することができる。
【００６２】
図８は、本実施形態のプロジェクタの概略構成を示すブロック図である。
図８に示すように、プロジェクタ１は、画像投写部１０、制御部２０、記憶部２１、入力操作部２２、操作信号受信部２３、入力端子群２４、入力ソース選択部２５、２つの画像信号処理部２６，２８、画像合成部２７、リモコンＲＣ等で構成されており、このうち、画像投写部１０、記憶部２１、入力操作部２２、操作信号受信部２３、入力端子群２４、リモコンＲＣは、前記第１実施形態と同様の構成、機能を有している。
【００６３】
本実施形態の入力ソース選択部２５は、入力端子群２４に備わる複数の入力端子２４ａのうち、制御部２０の指示に基づく１つ又は２つの入力端子２４ａを選択する。制御部２０により１つの入力端子２４ａの選択が指示された場合には、入力ソース選択部２５は、この入力端子２４ａに入力される画像信号を画像信号処理部２６に出力する。また、制御部２０によりさらに１つの入力端子２４ａの選択が指示された場合には、入力ソース選択部２５は、この入力端子２４ａに入力される画像信号を画像信号処理部２８に出力する。なお、これ以降、画像信号処理部２６に出力される画像信号を第１の画像信号と呼び、第１の画像信号に基づく画像を第１の入力画像と呼ぶ。また、画像信号処理部２８に出力される画像信号を第２の画像信号と呼び、第２の画像信号に基づく画像を第２の入力画像と呼ぶ。
【００６４】
２つの画像信号処理部２６，２８は、入力ソース選択部２５から入力された各種形式の画像信号を、液晶ライトバルブ１２Ｒ，１２Ｇ，１２Ｂの各画素の階調を表す画像データ、即ち各画素に印加する駆動電圧を規定するための画像データに変換する。さらに、制御部２０の指示に基づいて、変換した画像データに対して、明るさ、コントラスト、シャープネス、色合い等の調整や、ガンマ補正等の各種画質調整を施す。画像信号処理部２６，２８でそれぞれ画質調整がなされた画像データは、画像合成部２７に出力される。
【００６５】
２つ入力端子２４ａが選択された状態では、画像合成部２７は、制御部２０の指示に基づいて、画像信号処理部２６から入力される画像データに対して、画像信号処理部２８から入力される画像データを合成する処理を行い、合成処理後の画像データをライトバルブ駆動部１４に出力する。一方、１つ入力端子２４ａのみが選択された状態では、画像合成部２７は、上記合成処理を行わず、画像信号処理部２６から入力される画像データを、そのままライトバルブ駆動部１４に供給する。
【００６６】
ここで、本実施形態の記憶部２１には、合成すべき色を特定するための表示色情報が記憶されており、画像合成部２７は、第２の入力画像の中から、表示色情報で特定される色に近似した色（以降、指定表示色という）を有する部位を抽出し、この部位のみを第１の入力画像に合成する。言い換えれば、画像合成部２７は、第２の入力画像を、指定表示色以外の部位を透過させて第１の入力画像に合成する。なお、この表示色情報は、予め唯一に定まっていてもよいし、ユーザによって任意に変更できるようにしてもよい。また、表示色情報の代わりに、合成する際に透過すべき色を特定するための透過色情報を記憶部２１に記憶するようにして、第２の入力画像の中から、透過色情報で特定される色に近似した色を有する部位以外を抽出し、この部位のみを第１の入力画像に合成するようにすることも可能である。
【００６７】
ライトバルブ駆動部１４は、画像合成部２７から入力される画像データに基づいて、３つの液晶ライトバルブ１２Ｒ，１２Ｇ，１２Ｂを駆動する。この結果、第１の入力画像、或いは、第１の入力画像と第２の入力画像とを合成した合成画像が画像投写部１０から投写される。なお、第１の入力画像のみが投写されている状態では、ユーザは、入力操作部２２或いはリモコンＲＣに備わる入力ソース指定ボタンを操作することにより、その供給元を切り換えることができる。
【００６８】
次に、本実施形態のプロジェクタ１の動作について説明する。
プロジェクタ１に商用電源が供給され、入力操作部２２やリモコンＲＣの電源ボタンが操作されると、制御部２０は、制御プログラムに従った動作を開始する。この状態で、ユーザは、入力ソース指定ボタンを操作することにより、所望の入力端子２４ａに入力される画像信号に応じた画像（第１の入力画像）の投写を開始することができる。第１の入力画像の投写を行っている間、制御部２０は、入力操作部２２やリモコンＲＣによる入力操作を監視しており、ユーザは、この状態で、合成表示ボタンを操作することにより、第１の入力画像に第２の入力画像を合成させることができる。
【００６９】
図９は、入力画像を投写中に、合成表示ボタンが操作された場合の動作を説明するフローチャートであり、図１０（ａ）〜（ｃ）は、この動作を説明するための説明図である。制御部２０は、第１の入力画像Ｇｉ１（例えば、図１０（ａ）参照）を投写している間に、入力操作部２２やリモコンＲＣに備わる合成表示ボタンが操作されると、図９に示すフローに従って動作する。なお、既に２つの入力画像が合成された状態で、合成表示ボタンが操作された場合にも、制御部２０は、このフローに従った動作を行う。
【００７０】
図９に示すように、ステップＳ１２１では、制御部２０は、既に２つの入力画像が合成された状態であるか否か、即ち入力ソース選択部２５に、２つの入力端子２４ａを選択させている状態であるか否かを判断する。この結果、第１の入力画像Ｇｉ１のみを投写している状態であれば、ステップＳ１２２に移行する。一方、既に２つの入力画像の合成を行っている状態である場合には、ステップＳ１２４に移行する。
【００７１】
ステップＳ１２２に移行した場合には、制御部２０は、入力ソース選択部２５に指示をして、第１の画像信号が入力されている入力端子２４ａに加えて、他の入力端子２４ａを新たに選択させ、この入力端子２４ａに入力されている画像信号を第２の画像信号として画像信号処理部２８に出力させる。この第２の画像信号が表す画像（第２の入力画像Ｇｉ２）は、例えば、図１０（ｂ）に示すように、無地の背景上に指定表示色で描画された文字列を含む画像である。
【００７２】
ステップＳ１２３では、制御部２０は、画像合成部２７に表示色情報を出力し、画像合成部２７に、第２の入力画像Ｇｉ２の中から指定表示色を有する部位を抽出させるとともに、これを第１の入力画像Ｇｉ１に合成させて、処理を終了する。この結果、図１０（ｃ）に示すように、第１の入力画像Ｇｉ１に第２の入力画像Ｇｉ２（文字列）が合成された合成画像Ｇｃが、画像投写部１０から投写される。
【００７３】
ステップＳ１２１において、既に２つの入力画像Ｇｉ１，Ｇｉ２が合成された状態であるためにステップＳ１２４に移行した場合には、制御部２０は、入力ソース選択部２５に指示をして、入力端子２４ａを１つのみ選択した状態に復帰させ、処理を終了する。この結果、画像投写部１０から第１の入力画像Ｇｉ１のみが投写される状態となる。つまり、ユーザは、合成表示ボタンの操作を繰り返すことによって、２つの入力画像Ｇｉ１，Ｇｉ２が合成された状態と、第１の入力画像Ｇｉ１のみが表示される状態とを切り換えることができる。
【００７４】
なお、制御部２０は、２つの入力画像Ｇｉ１，Ｇｉ２が合成された状態では、入力操作部２２又はリモコンＲＣの入力ソース指定ボタンが操作される度に、入力ソース選択部２５に指示をして、第２の画像信号を得るための入力端子２４ａとして、他の入力端子２４ａを順次選択させる。つまり、ユーザは、入力ソース指示ボタンを操作することにより、所望の画像供給装置ＳＲから第２の入力画像Ｇｉ２の供給を受けることが可能となる。
【００７５】
以上説明したように、本実施形態のプロジェクタ１によれば、以下の効果を得ることができる。
本実施形態のプロジェクタ１によれば、画像合成部２７が、第２の入力画像Ｇｉ２の一部を色に応じて抽出し、第１の入力画像Ｇｉ１に合成させるため、入力端子２４ａに、文字列が所定の色で描画された画像を表す画像信号を入力するだけで、第１の入力画像Ｇｉ１に文字列を合成することが可能となり、投写画像に対する文字列の合成を容易に行うことが可能となる。また、このプロジェクタ１によれば、第２の画像信号として、図形等が所定の色で描画された画像を表す画像情報を入力することにより、文字列以外の図形等を合成することも容易に行うことが可能となる。
【００７６】
なお、本実施形態では、第１の画像信号が、本発明の第１の画像情報に相当し、第２の画像信号が、本発明の第２の画像情報に相当する。また、第１の画像信号が入力される入力端子２４ａが、本発明の第１の画像入力部に相当し、第２の画像信号が入力される入力端子２４ａが、本発明の第２の画像入力部に相当する。
【００７７】
（変形例）
本発明の実施形態は、以下のように変更してもよい。
前記第１実施形態では、通信端子３３にコマンドが入力された場合に、画像生成部２０ａが、位置情報が示す位置に文字列が表示されるように画像データを生成しているが、位置情報が示す位置に文字列を表示させるためには、この態様に限定されない。例えば、画像生成部２０ａは、位置情報に拘わらず、入力画像Ｇｉよりも小さな文字列画像Ｇｓを表す画像データを生成し、画像合成部２７が、制御部２０から位置情報を受け取って、位置情報が示す位置に文字列が表示されるように合成処理を行うようにしてもよい。
【００７８】
前記第１実施形態では、外部記憶媒体としてメモリカードＭＣを利用する構成を示しているが、ＵＳＢメモリ等、他の外部記憶媒体を利用する構成であってもよい。
【００７９】
前記第１及び第２実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の出射方向を、画素としてのマイクロミラー毎に制御することにより、光源から出射した光を変調する微小ミラーアレイデバイス等を用いることもできる。
【００８０】
前記第１及び第２実施形態では、光源として放電ランプ１１ａを用いているが、ＬＥＤ（Light Emitting Diode：発光ダイオード）光源等の固体光源や、その他の光源を用いることもできる。
【００８１】
前記第１及び第２実施形態では、画像表示装置として、プロジェクタ１を例にして説明しているが、透過型のスクリーンを一体的に備えたリアプロジェクタ、或いは、ＣＲＴ（陰極線管）ディスプレイ、液晶ディスプレイ、プラズマディスプレイ、ＳＥＤ（Surface-conduction Electron-emitter Display）、有機ＥＬ（Electro Luminescence）ディスプレイ等に適用することも可能である。
【図面の簡単な説明】
【００８２】
【図１】第１実施形態のプロジェクタの概略構成を示すブロック図。
【図２】合成表示ボタンが操作された場合の動作を説明するフローチャート。
【図３】（ａ）〜（ｃ）は、合成表示ボタンが操作された場合の動作を説明するための説明図。
【図４】複数の文字列データが含まれるテキストファイルを説明するための説明図。
【図５】通信端子にコマンドが入力された場合の動作を説明するフローチャート。
【図６】（ａ）、（ｂ）は、通信端子にコマンドが入力された場合の動作を説明するための説明図。
【図７】（ａ）〜（ｃ）は、通信端子にコマンドが入力された場合の動作を説明するための説明図。
【図８】第２実施形態のプロジェクタの概略構成を示すブロック図。
【図９】第２実施形態において、合成表示ボタンが操作された場合の動作を説明するフローチャート。
【図１０】（ａ）〜（ｃ）は、第２実施形態において、合成表示ボタンが操作された場合の動作を説明するための説明図。
【符号の説明】
【００８３】
１…プロジェクタ、１０…画像投写部、１１…光源部、１２Ｒ，１２Ｇ，１２Ｂ…液晶ライトバルブ、１３…投写レンズ、１４…ライトバルブ駆動部、２０…制御部、２０ａ…画像生成部、２１…記憶部、２２…入力操作部、２３…操作信号受信部、２４…入力端子群、２４ａ…入力端子、２５…入力ソース選択部、２６，２８…画像信号処理部、２７…画像合成部、３１…カードスロット、３２…カードインターフェイス部、３３…通信端子、３４…通信インターフェイス部、ＣＴ…制御機器、Ｇｉ，Ｇｉ１，Ｇｉ２…入力画像、Ｇｓ…文字列画像、Ｇｃ…合成画像、ＭＣ…メモリカード、ＲＣ…リモコン、ＳＣ…スクリーン、ＳＲ…画像供給装置。
【図１】
2008224797.tif 000003
【図２】
2008224797.tif 000004
【図３】
2008224797.tif 000005
【図４】
2008224797.tif 000006
【図５】
2008224797.tif 000007
【図６】
2008224797.tif 000008
【図７】
2008224797.tif 000009
【図８】
2008224797.tif 000010
【図９】
2008224797.tif 000011
【図１０】
2008224797.tif 000012